(57)【要約】  【課題】  簡単な構造を有し、組み立てに多くの時間及び手間をかけることなく、フォーカシング、トラッキング、チルト用のコイルを実装することができる光ヘッド及び光ヘッドを用いた光ディスク装置を提供する。  【解決手段】  フォーカシングコイル５４の配線の端部の第１コイル取付部５３１に接触する部分の被覆を取り除き、第１コイル取付部５３１に接触させた状態で嵌着部材５４１を取り付ける。このように間に配線の端部を挟み込んで、第１コイル取付部５３１と嵌着部材５４１とを嵌着することで、嵌着部材５４１とフォーカシングコイル５４は電気的に接続される。【選択図】      図７
2006134438.tif 000002
【特許請求の範囲】
【請求項１】
回転している円盤状の光ディスクにレーザ光を照射することで、データの記録、読出を
行う光ディスク装置であって、
前記光ディスクを回転させるスピンドルモータと、前記光ディスクに対してレーザ光を
照射する光ヘッドと、信号を処理するための信号処理装置と、前記光ヘッドにて検出され
前記信号処理装置にて復号化された信号を外部の映像表示部に接続するための外部接続部
と、制御部とを備えており、
前記光ヘッドは前記レーザ光を照射するレーザ光源と、前記レーザ光を反射するミラー
と、前記レーザ光を平行光にするコリメータレンズと、前記レーザ光を前記光ディスクに
照射するための対物レンズと、前記光ディスクで反射した光を分光するビームスプリッタ
と、光を受光する受光素子とを有しており、
前記コリメータレンズはベースに支持され、前記対物レンズはレンズホルダに固定され
、該レンズホルダがアクトベースに支持されており、前記アクトベースは前記ベースに固
定されており、
前記アクトベースは前記レンズホルダを支持するための支持部材と、前記支持部材に固
定されるとともに前記レンズホルダを弾性支持する直線状に形成された３対のワイヤーば
ねと、前記支持部材に取り付けられる基板と、磁界を発生させるための永久磁石とを有し
ており、
前記レンズホルダは、該レンズホルダを前記光ディスクのディスク面に対して垂直方向
に動かすためのフォーカシングコイルと、該光ディスク面に平行な方向に移動するための
トラッキングコイルと、傾き方向に移動するためのチルトコイルと、前記ワイヤーばねの
位置決め及び接着をする位置決め部材と、前記フォーカシングコイル、トラッキングコイ
ル及びチルトコイルと電気的に接続し、前記ワイヤーばねがはんだ付けされることで取り
付けられるワイヤー取付部とを有しており、
前記ワイヤー取付部は前記レンズホルダの側面より突出する直方体形状のコイル取付部
と、前記コイル取付部に外嵌固定することができ、導電性を有する嵌着部材とを有してお
り、前記フォーカシングコイル、前記トラッキングコイル及び前記チルトコイルの配線の
端部は前記コイル取付部及び嵌着部材の間に配置されることで該嵌着部材と接続されてお
り、
前記支持部材は両側面に前記ワイヤーばねを接着剤にて接着するための接着部と、前記
ワイヤーばねと接触し粘弾性を有するゲル状の制振部材と、前記レンズホルダと対向する
面と反対側の面に取り付けられる基板を有しており、
前記ワイヤーばねは前記支持部材及び前記レンズホルダの両側面に配置され対を成して
おり、前記ワイヤーばねと前記嵌着部材及び前記基板に形成されたランドとは、はんだ付
けにて接続されており、前記ワイヤーばねを介し前記フォーカシングコイル、トラッキン
グコイル及びチルトコイルにそれぞれ独立して電力を供給することを特徴とする光ディス
ク装置。
【請求項２】
回転している円盤状の光ディスクにレーザ光を照射することで、データの記録、読出を
行う光ディスク装置であって、
前記光ヘッドは前記レーザ光を照射するレーザ光源と、前記レーザ光を平行光にするコ
リメータレンズと、前記レーザ光を前記光ディスクに照射するための対物レンズとを有し
ており、
前記コリメータレンズはベースに支持され、前記対物レンズはレンズホルダに固定され
、該レンズホルダがアクトベースに支持されており、前記アクトベースは前記ベースに固
定されており、
前記アクトベースは前記レンズホルダを支持するための支持部材と、前記支持部材に固
定されるとともに前記レンズホルダを弾性支持する直線状に形成された１又は複数対のワ
イヤーばねと、前記支持部材に取り付けられる基板と、前記レンズホルダ内部に磁界を発
生させるための永久磁石とを有しており、
前記レンズホルダは、該レンズホルダを前記光ディスクに対して駆動するための１個又
は複数個のコイルと、前記ワイヤーばねの位置決め及び接着をする位置決め部材と、前記
コイルと電気的に接続し、前記ワイヤーばねがはんだ付けされることで取り付けられるワ
イヤー取付部とを有しており、
前記ワイヤー取付部は前記レンズホルダの側面より突出する直方体形状のコイル取付部
と、前記コイル取付部に外嵌固定することができ、導電性を有する嵌着部材とを有してお
り、前記コイルの配線の端部は前記嵌着部材と電気的に接続されており、
前記支持部材は両側面に前記ワイヤーばねを接着剤にて接着するための接着部と、前記
ワイヤーばねと接触し粘弾性を有するゲル状の制振部材と、前記レンズホルダと対向する
面と反対側の面に取り付けられる基板とを有しており、
前記ワイヤーばねは前記支持部材及び前記レンズホルダの両側面に配置され対を成して
おり、前記ワイヤーばねと前記嵌着部材及び前記基板に形成されたランドとは、はんだ付
けにて接続されており、前記ワイヤーばねを介し前記コイルに独立して電力を供給するこ
とを特徴とする光ディスク装置。
【請求項３】
前記コイルの配線の端部は前記コイル取付部に外嵌固定された前記嵌着部材に巻かれて
、はんだ付けされることで該嵌着部材と接続されることを特徴とする請求項２に記載の光
ディスク装置。
【請求項４】
前記コイルの配線の端部は前記コイル取付部に外嵌固定された前記嵌着部材と接触した
状態ではんだ付けされることで該嵌着部材と接続されることを特徴とする請求項２に記載
の光ディスク装置。
【請求項５】
レーザ光を照射するレーザ光源と、ベースに支持され前記レーザ光を平行光にするコリ
メータレンズと、レンズホルダに固定され前記レーザ光を前記光ディスクに照射するため
の対物レンズとを有しており、前記レンズホルダはアクトベースに支持されており、前記
アクトベースは前記ベースに固定されており、
前記アクトベースは前記レンズホルダを支持するための支持部材と、前記支持部材に固
定されるとともに前記レンズホルダを弾性支持する直線状に形成された２対のワイヤーば
ねと、前記支持部材に取り付けられる基板と、前記レンズホルダ内部に磁界を発生させる
ための永久磁石とを有しており、
前記レンズホルダは、該レンズホルダを前記光ディスクのディスク面に対して垂直方向
に動かすためのフォーカシングコイルと、平行する方向に移動するためのトラッキングコ
イルと、傾き方向に移動するためのチルトコイルと、前記ワイヤーばねの位置決め及び接
着をする位置決め部材と、前記フォーカシングコイル、前記トラッキングコイル及び前記
チルトコイルと電気的に接続し、前記ワイヤーばねがはんだ付けされることで取り付けら
れるワイヤー取付部とを有しており、
前記ワイヤー取付部は前記レンズホルダの側面より突出する直方体形状のコイル取付部
と、前記コイル取付部に外嵌固定することができ、導電性を有する嵌着部材とを有してお
り、前記フォーカシングコイル、前記トラッキングコイル及前記チルトコイルの配線の端
部は前記コイル取付部及び嵌着部材の間に配置されることで該嵌着部材と接続されており
、
前記支持部材は両側面に前記ワイヤーばねを接着剤にて接着するための接着部と、前記
ワイヤーばねと接触し粘弾性を有するゲル状の制振部材と、前記レンズホルダと対向する
面と反対側の面に取り付けられる基板とを有しており、
前記ワイヤーばねは前記支持部材及び前記レンズホルダの両側面に配置され対を成して
おり、前記ワイヤーばねと前記嵌着部材及び前記基板に形成されたランドとは、はんだ付
けにて接続されており、前記ワイヤーばねを介し前記フォーカシングコイル、トラッキン
グコイル及びチルトコイルにそれぞれ独立して電力を供給することを特徴とする光ヘッド
。
【請求項６】
レーザ光を照射するレーザ光源と、ベースに支持され前記レーザ光を平行光にするコリ
メータレンズと、レンズホルダに固定され前記レーザ光を前記光ディスクに照射するため
の対物レンズとを有しており、前記レンズホルダはアクトベースに支持されており、前記
アクトベースは前記ベースに固定されており、
前記アクトベースは前記レンズホルダを支持するための支持部材と、前記支持部材に固
定されるとともに前記レンズホルダを弾性支持する直線状に形成された１又は複数対のワ
イヤーばねと、前記支持部材に取り付けられる基板と、前記レンズホルダ内部に磁界を発
生させるための永久磁石とを有しており、
前記レンズホルダは、該レンズホルダを前記光ディスクに対して駆動するための１個又
は複数個のコイルと、前記ワイヤーばねの位置決め及び接着をする位置決め部材と、前記
コイルと電気的に接続し、前記ワイヤーばねがはんだ付けされることで取り付けられるワ
イヤー取付部とを有しており、
前記ワイヤー取付部は前記レンズホルダの側面より突出する直方体形状のコイル取付部
と、前記コイル取付部に外嵌固定することができ、導電性を有する嵌着部材とを有してお
り、前記コイルの配線の端部は前記嵌着部材と電気的に接続されており、
前記支持部材は両側面に前記ワイヤーばねを接着剤にて接着するための接着部と、前記
ワイヤーばねと接触し粘弾性を有するゲル状の制振部材と、前記レンズホルダと対向する
面と反対側の面に取り付けられる基板を有しており、
前記ワイヤーばねは前記支持部材及び前記レンズホルダの両側面に配置され対を成して
おり、前記ワイヤーばねと前記嵌着部材及び前記基板に形成されたランドとは、はんだ付
けにて接続されており、前記ワイヤーばねを介し前記コイルに独立して電力を供給するこ
とを特徴とする光ヘッド。
【請求項７】
前記コイルの配線の端部は前記コイル取付部に外嵌固定された前記嵌着部材に巻かれて
、はんだ付けされることで該嵌着部材と接続されることを特徴とする請求項６に記載の光
ヘッド。
【請求項８】
前記コイルの配線の端部は前記コイル取付部に外嵌固定された前記嵌着部材と接触した
状態ではんだ付けされることで該嵌着部材と接続されることを特徴とする請求項６に記載
の光ヘッド。
【発明の詳細な説明】
【技術分野】
【０００１】
本発明は、光ディスクに光を照射することでデータの記録及び（又は）読出しを行うこ
とができる光ディスク装置に関するものであり、特に前記光ディスクに光を照射する光ヘ
ッドに関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は、光ディスクの記録面に対しレーザ光を照射し、反射してきた光を
検出する光ヘッドを備えている。
【０００３】
図２に光ヘッドの配置図を示す。図２に示すようにレーザ光源Ｌｄと、ミラーＭｒと、
コリメータレンズ３と、対物レンズ４と、ビームスプリッタＢｓと、受光素子Ｐｄとを有
している。レーザ光源Ｌｄより照射されたレーザ光はミラーＭｒで反射されてコリメータ
レンズ３に入射する。コリメータレンズ３に入射したレーザ光は平行光として出射され対
物レンズ４に入射する。対物レンズ４に入射したレーザ光はＤＶＤメディアＤｓの記録面
に照射される。
【０００４】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。
【０００５】
前記光ディスク装置では、対物レンズ等の光学素子が備えられている前記光ヘッドを、
光ディスク面の振れや傾きに追従させつつ、その垂直方向又は半径方向に移動させる必要
があり、前記対物レンズを保持するレンズホルダを複数本の金属弾性部材（ワイヤーばね
）にて支持するものが用いられている。前記レンズホルダは上下（フォーカス方向）、左
右（トラッキング方向）、傾き（チルト方向）に駆動される。
【０００６】
図８に従来の光ヘッドの一例の平面図を、図９に図８に示す光ヘッドの側面図を示す。
図８、図９に示す光ヘッドＢはコリメータレンズ３が取り付けられたベース９１と、対物
レンズ４を保持するレンズホルダ９５が配置されるアクチュエータベース９２（以後アク
トベース９２と示す）とを有している。アクトベース９４はベース９１に固定されている
。アクトベース９２には貫通孔９２０が形成されており、コリメータレンズ３を出射した
レーザ光が貫通孔９２０を通過して対物レンズ４に入射する。
【０００７】
レンズホルダ９５には、光ディスクに対して垂直方向に移動させるフォーカシング、光
ディスクの半径方向に移動させるトラッキング、光ディスクに対して傾けるチルトを行う
ためのコイル９５４、９５５、９５６が形成されている。アクトベース９２のレンズホル
ダ９５を配置する部分には一対の永久磁石９２４、９２４が配置されており、コイル９５
４、９５５、９５６には一定の磁界が発生している。この状態でコイル９５４、９５５、
９５６に電流を流すことで、レンズホルダ９５を駆動して、フォーカシング、トラッキン
グ、チルトを行う。
【０００８】
レンズホルダ９５はアクトベース９２に設けられた支持部材９２１に、金属性のワイヤ
ーばね９２２を介して支持されている。ワイヤーばね９２２はレンズホルダ９５を支持す
るとともに、コイル９５４、９５５、９５６に電流を流す送電線としても利用されている
。ワイヤーばね９２２はレンズホルダ９５の両側面に３本ずつ配置されている。レンズホ
ルダ９５にはコイル９５４、９５５、９５６の端部が取り付けられ、ワイヤーばね９２２
が接触するコイル取付部９５０を備えている。
【０００９】
支持部材９２１の側面には粘弾性を有するゲル状の制振部材９２５が配置されており、
制振部材９２５はワイヤーばね９２２を覆っている。このことにより、ワイヤーばね９２
２は制振部材９２５によってダンピングを抑えられている。支持部材９２１にはレンズホ
ルダ９５と反対側の面にワイヤーばね９２２に送電するための基板９２３が取り付けられ
ている。基板９２３は支持部材９２１にボルト９２６にて固定されている。基板９２３に
はワイヤーばね９２２の端部が貫通する貫通孔９２７が形成されている。ワイヤーばね９
２２の貫通孔９２７を貫通した端部を基板９２３にはんだ付けすることで、ワイヤーばね
９２２と支持部材９２３とを接続固定することができる。
【００１０】
図１０に従来のレンズホルダのコイル取付部の拡大図を示す。図１０に示すコイル取付
部９５０はコイル９５４の配線の端部９５４１を取り付けるものである。コイル取付部９
５０はそれには限らないが、クランク状に屈曲した形状を有しており、コイル９５４の端
部の被覆を取り除きコイル取付部９５０の屈曲部に巻きつけ、はんだ９５４２付けするこ
とで、巻きつけたコイル９５４の端部９５４１が抜けないように且つ電気的に接続する。
このとき、配線の被覆はコイル取付部９５０に巻きつけられる長さ分全て取り除かれるも
のである。コイル取付部９５０に巻きつけられた配線とワイヤーばね９２２とをはんだ付
けにて電気的に接続する。
【特許文献１】特開２００４−１２７４９２号公報
【特許文献２】特開２００４−８７０３７号公報
【特許文献３】特開２００１−３４９７３号公報
【発明の開示】
【発明が解決しようとする課題】
【００１１】
しかしながら、コイル取付部９５０の屈曲部にコイル９５４の配線の端部９５４１巻き
つけるものの場合、コイル９５４の配線のコイル取付部９５０に巻きつける部分全ての被
覆を取り除かなくてはならず、手間がかかる。また、コイル取付部９５０は非常に小さな
部材であるので取付部９５０にコイル９５４の配線の端部９５４１を巻きつけるのは細か
い作業であり、手間がかかる。さらに、配線は細い電線を用いられる場合が多く、この場
合、コイル取付部９５０に配線の端部９５４１を巻きつける作業を行うときに配線を断線
させる等のミスが発生しやすく、それだけ、手間も時間もかかる。
【００１２】
このことは、光ヘッドを構成する各部材の製造、組み立てに高い精度が必要であり、そ
れだけ、前記光ヘッド及び該光ヘッドを備えた前記光ディスク装置の製造に必要な時間及
び手間が多くなり、製造コストが高くなる。
【００１３】
そこで本発明は、簡単な構造を有し、組み立てに多くの時間及び手間をかけることなく
、フォーカシング、トラッキング、チルト用のコイルを実装することができる光ヘッド及
び光ヘッドを用いた光ディスク装置を提供することを目的とする。
【課題を解決するための手段】
【００１４】
上記目的を達成するために本発明は、回転している円盤状の光ディスクにレーザ光を照
射することで、データの記録、読出を行う光ディスク装置であって、前記光ディスクを回
転させるスピンドルモータと、前記光ディスクに対してレーザ光を照射する光ヘッドと、
信号を処理するための信号処理装置と、前記光ヘッドにて検出され前記信号処理装置にて
復号化された信号を外部の映像表示部に接続するための外部接続部と、制御部とを備えて
おり、前記光ヘッドは前記レーザ光を照射するレーザ光源と、前記レーザ光を反射するミ
ラーと、前記レーザ光を平行光にするコリメータレンズと、前記レーザ光を前記光ディス
クに照射するための対物レンズと、前記光ディスクで反射した光を分光するビームスプリ
ッタと、光を受光する受光素子とを有しており、前記コリメータレンズはベースに支持さ
れ、前記対物レンズはレンズホルダに固定され、該レンズホルダがアクトベースに支持さ
れており、前記アクトベースは前記ベースに固定されており、前記アクトベースは前記レ
ンズホルダを支持するための支持部材と、前記支持部材に固定されるとともに前記レンズ
ホルダを弾性支持する直線状に形成された３対のワイヤーばねと、前記支持部材に取り付
けられる基板と、磁界を発生させるための永久磁石とを有しており、前記レンズホルダは
、該レンズホルダを前記光ディスクのディスク面に対して垂直方向に動かすためのフォー
カシングコイルと、該光ディスク面に平行な方向に移動するためのトラッキングコイルと
、傾き方向に移動するためのチルトコイルと、前記ワイヤーばねの位置決め及び接着をす
る位置決め部材と、前記フォーカシングコイル、トラッキングコイル及びチルトコイルと
電気的に接続し、前記ワイヤーばねがはんだ付けされることで取り付けられるワイヤー取
付部とを有しており、前記ワイヤー取付部は前記レンズホルダの側面より突出する直方体
形状のコイル取付部と、前記コイル取付部に外嵌固定することができ、導電性を有する嵌
着部材とを有しており、前記フォーカシングコイル、前記トラッキングコイル及び前記チ
ルトコイルの配線の端部は前記コイル取付部及び嵌着部材の間に配置されることで該嵌着
部材と接続されており、前記支持部材は両側面に前記ワイヤーばねを接着剤にて接着する
ための接着部と、前記ワイヤーばねと接触し粘弾性を有するゲル状の制振部材と、前記レ
ンズホルダと対向する面と反対側の面に取り付けられる基板を有しており、前記ワイヤー
ばねは前記支持部材及び前記レンズホルダの両側面に配置され対を成しており、前記ワイ
ヤーばねと前記嵌着部材及び前記基板に形成されたランドとは、はんだ付けにて接続され
ており、前記ワイヤーばねを介し前記フォーカシングコイル、トラッキングコイル及びチ
ルトコイルにそれぞれ独立して電力を供給することを特徴とする。
【００１５】
この構成によると、前記フォーカシングコイル、前記トラッキングコイル、前記チルト
コイルの配線の端部を簡単且つ確実にコイル取付部及び嵌着部材に取り付けることができ
る。また、前記嵌着部材は一定の大きさを有しているので、ワイヤーばねを容易にはんだ
付けにて固定することができる。
【００１６】
これによると、前記フォーカシングコイル、前記トラッキングコイル、前記チルトコイ
ルに確実に電流を流入させることができるので、前記レンズホルダ、すなわち、前記対物
レンズをフォーカス方向、トラッキング方向、チルト方向への駆動を確実且つ円滑に行う
ことができる。
【００１７】
上記目的を達成するために本発明は、回転している円盤状の光ディスクにレーザ光を照
射することで、データの記録、読出を行う光ディスク装置であって、前記光ヘッドは前記
レーザ光を照射するレーザ光源と、前記レーザ光を平行光にするコリメータレンズと、前
記レーザ光を前記光ディスクに照射するための対物レンズとを有しており、前記コリメー
タレンズはベースに支持され、前記対物レンズはレンズホルダに固定され、該レンズホル
ダがアクトベースに支持されており、前記アクトベースは前記ベースに固定されており、
前記アクトベースは前記レンズホルダを支持するための支持部材と、前記支持部材に固定
されるとともに前記レンズホルダを弾性支持する直線状に形成された１又は複数対のワイ
ヤーばねと、前記支持部材に取り付けられる基板と、前記レンズホルダ内部に磁界を発生
させるための永久磁石とを有しており、前記レンズホルダは、該レンズホルダを前記光デ
ィスクに対して駆動するための１個又は複数個のコイルと、前記ワイヤーばねの位置決め
及び接着をする位置決め部材と、前記コイルと電気的に接続し、前記ワイヤーばねがはん
だ付けされることで取り付けられるワイヤー取付部とを有しており、前記ワイヤー取付部
は前記レンズホルダの側面より突出する直方体形状のコイル取付部と、前記コイル取付部
に外嵌固定することができ、導電性を有する嵌着部材とを有しており、前記コイルの配線
の端部は前記嵌着部材と電気的に接続されており、前記支持部材は両側面に前記ワイヤー
ばねを接着剤にて接着するための接着部と、前記ワイヤーばねと接触し粘弾性を有するゲ
ル状の制振部材と、前記レンズホルダと対向する面と反対側の面に取り付けられる基板と
を有しており、前記ワイヤーばねは前記支持部材及び前記レンズホルダの両側面に配置さ
れ対を成しており、前記ワイヤーばねと前記嵌着部材及び前記基板に形成されたランドと
は、はんだ付けにて接続されており、前記ワイヤーばねを介し前記コイルに独立して電力
を供給することを特徴とする。
【００１８】
この構成によると、前記レンズホルダを駆動するためのコイルの配線の端部を簡単且つ
確実にコイル取付部及び嵌着部材に取り付けることができる。また、前記嵌着部材は一定
の大きさを有しているので、ワイヤーばねを容易にはんだ付けにて固定することができる
。
【００１９】
これによると、前記レンズホルダを駆動するためのコイルに確実に電流を流入させるこ
とができるので、前記レンズホルダ、すなわち、前記対物レンズをフォーカス方向、トラ
ッキング方向、チルト方向への駆動を確実且つ円滑に行うことができる。
【００２０】
上記構成において、前記コイルの配線の端部は前記コイル取付部に外嵌固定された前記
嵌着部材に巻かれて、はんだ付けされることで該嵌着部材と接続されるものであってもよ
く、予め前記コイル取付部に外嵌固定された前記嵌着部材と接触した状態ではんだ付けさ
れることで該嵌着部材と接続されるものであっても良い。この構成によると、コイルの端
部を簡単に取り付けることができるので、それだけ、製造の時間、手間を削減することが
できる。
【００２１】
上記構成の光ディスク装置では、前記レンズホルダが円滑且つ確実に駆動するので、フ
ォーカシング、トラッキング、チルト等のレーザ光の焦点位置の微調整を迅速に行うこと
ができるので、それだけ、円滑な動作を行う光ディスク装置を提供することができる。
【００２２】
上記目的を達成するために本発明は、レーザ光を照射するレーザ光源と、ベースに支持
され前記レーザ光を平行光にするコリメータレンズと、レンズホルダに固定され前記レー
ザ光を前記光ディスクに照射するための対物レンズとを有しており、前記レンズホルダは
アクトベースに支持されており、前記アクトベースは前記ベースに固定されており、前記
アクトベースは前記レンズホルダを支持するための支持部材と、前記支持部材に固定され
るとともに前記レンズホルダを弾性支持する直線状に形成された２対のワイヤーばねと、
前記支持部材に取り付けられる基板と、前記レンズホルダ内部に磁界を発生させるための
永久磁石とを有しており、前記レンズホルダは、該レンズホルダを前記光ディスクのディ
スク面に対して垂直方向に動かすためのフォーカシングコイルと、平行する方向に移動す
るためのトラッキングコイルと、傾き方向に移動するためのチルトコイルと、前記ワイヤ
ーばねの位置決め及び接着をする位置決め部材と、前記フォーカシングコイル、前記トラ
ッキングコイル及び前記チルトコイルと電気的に接続し、前記ワイヤーばねがはんだ付け
されることで取り付けられるワイヤー取付部とを有しており、前記ワイヤー取付部は前記
レンズホルダの側面より突出する直方体形状のコイル取付部と、前記コイル取付部に外嵌
固定することができ、導電性を有する嵌着部材とを有しており、前記フォーカシングコイ
ル、前記トラッキングコイル及前記チルトコイルの配線の端部は前記コイル取付部及び嵌
着部材の間に配置されることで該嵌着部材と接続されており、前記支持部材は両側面に前
記ワイヤーばねを接着剤にて接着するための接着部と、前記ワイヤーばねと接触し粘弾性
を有するゲル状の制振部材と、前記レンズホルダと対向する面と反対側の面に取り付けら
れる基板とを有しており、前記ワイヤーばねは前記支持部材及び前記レンズホルダの両側
面に配置され対を成しており、前記ワイヤーばねと前記嵌着部材及び前記基板に形成され
たランドとは、はんだ付けにて接続されており、前記ワイヤーばねを介し前記フォーカシ
ングコイル、トラッキングコイル及びチルトコイルにそれぞれ独立して電力を供給するこ
とを特徴とする光ヘッドを提供する。
【００２３】
この構成によると、前記フォーカシングコイル、前記トラッキングコイル、前記チルト
コイルの配線の端部を簡単且つ確実にコイル取付部及び嵌着部材に取り付けることができ
る。また、前記嵌着部材は一定の大きさを有しているので、ワイヤーばねを容易にはんだ
付けにて固定することができる。
【００２４】
これによると、前記フォーカシングコイル、前記トラッキングコイル、前記チルトコイ
ルに確実に電流を流入させることができるので、前記レンズホルダ、すなわち、前記対物
レンズをフォーカス方向、トラッキング方向、チルト方向への駆動を確実且つ円滑に行う
ことができる。
【００２５】
上記目的を達成するために本発明は、レーザ光を照射するレーザ光源と、ベースに支持
され前記レーザ光を平行光にするコリメータレンズと、レンズホルダに固定され前記レー
ザ光を前記光ディスクに照射するための対物レンズとを有しており、前記レンズホルダは
アクトベースに支持されており、前記アクトベースは前記ベースに固定されており、前記
アクトベースは前記レンズホルダを支持するための支持部材と、前記支持部材に固定され
るとともに前記レンズホルダを弾性支持する直線状に形成された１又は複数対のワイヤー
ばねと、前記支持部材に取り付けられる基板と、前記レンズホルダ内部に磁界を発生させ
るための永久磁石とを有しており、前記レンズホルダは、該レンズホルダを前記光ディス
クに対して駆動するための１個又は複数個のコイルと、前記ワイヤーばねの位置決め及び
接着をする位置決め部材と、前記コイルと電気的に接続し、前記ワイヤーばねがはんだ付
けされることで取り付けられるワイヤー取付部とを有しており、前記ワイヤー取付部は前
記レンズホルダの側面より突出する直方体形状のコイル取付部と、前記コイル取付部に外
嵌固定することができ、導電性を有する嵌着部材とを有しており、前記コイルの配線の端
部は前記嵌着部材と電気的に接続されており、前記支持部材は両側面に前記ワイヤーばね
を接着剤にて接着するための接着部と、前記ワイヤーばねと接触し粘弾性を有するゲル状
の制振部材と、前記レンズホルダと対向する面と反対側の面に取り付けられる基板を有し
ており、前記ワイヤーばねは前記支持部材及び前記レンズホルダの両側面に配置され対を
成しており、前記ワイヤーばねと前記嵌着部材及び前記基板に形成されたランドとは、は
んだ付けにて接続されており、前記ワイヤーばねを介し前記コイルに独立して電力を供給
することを特徴とする光ヘッドを提供する。
【００２６】
この構成によると、前記レンズホルダを駆動するためのコイルの配線の端部を簡単且つ
確実にコイル取付部及び嵌着部材に取り付けることができる。また、前記嵌着部材は一定
の大きさを有しているので、ワイヤーばねを容易にはんだ付けにて固定することができる
。
【００２７】
これによると、前記レンズホルダを駆動するためのコイルに確実に電流を流入させるこ
とができるので、前記レンズホルダ、すなわち、前記対物レンズをフォーカス方向、トラ
ッキング方向、チルト方向への駆動を確実且つ円滑に行うことができる。
【００２８】
上記構成において、前記コイルの配線の端部は前記コイル取付部に外嵌固定された前記
嵌着部材に巻かれて、はんだ付けされることで該嵌着部材と接続されるものであってもよ
く、予め前記コイル取付部に外嵌固定された前記嵌着部材と接触した状態ではんだ付けさ
れることで該嵌着部材と接続されるものであっても良い。この構成によると、コイルの端
部を簡単に取り付けることができるので、それだけ、製造の時間、手間を削減することが
できる。
【発明の効果】
【００２９】
本発明によると、簡単な構造を有し、組み立てに多くの時間及び手間をかけることなく
、フォーカシング、トラッキング、チルト用のコイルを実装することができる光ヘッド及
び光ヘッドを用いた光ディスク装置を提供することができる。
【発明を実施するための最良の形態】
【００３０】
以下に本発明の実施形態を図面を参照して説明する。図１に本発明にかかる光ディスク
装置の配置図を示す。図１に示す光ディスク装置は、それには限定されないがここではＤ
ＶＤプレーヤである。図１に示すＤＶＤプレーヤＰＬは従来のＤＶＤプレーヤＰＭと略同
様の構成を有している。すなわち、ＤＶＤメディアＤｓを回転させるスピンドルモータＳ
ｐと、ＤＶＤメディアＤｓに光を照射し情報を読出す光ヘッドＡと、光ヘッドＡで検出さ
れた信号を復号化するデコーダＤｃと、外部の表示装置であるモニタＭｎに接続するため
の外部接続部Ｏｃと、制御部Ｃｏｎｔとを備えている。
【００３１】
ＤＶＤプレーヤＰＬは制御部Ｃｏｎｔによって制御されており、使用者よりＤＶＤを再
生する命令がなされると、まず、スピンドルモータＳｐを駆動しＤＶＤメディアＤｓを回
転させる。光ヘッドＡより回動しているＤＶＤメディアＤｓにレーザ光を照射し、その反
射光を光ヘッドＡで検出する。光ヘッドＡに備えられた後述の受光素子Ｐｄは検出した光
を電気信号に変換するものであり、電気信号はデコーダＤｃに送られ映像用の信号に復調
され、外部接続部Ｏｃを介してモニタＭｎに送られ、モニタＭｎに映像を表示する。
【００３２】
図２に光ヘッドの一例の配置図を示す。即ち、レーザ光源Ｌｄと、ミラーＭｒと、コリ
メータレンズ３と、対物レンズ４と、ビームスプリッタＢｓと、受光素子Ｐｄとを有して
いる。レーザ光源Ｌｄより照射されたレーザ光はミラーＭｒで反射され、コリメータレン
ズ３に入射し、平行光に変化してコリメータレンズ３より出射する。コリメータレンズ３
より出射したレーザ光は対物レンズ４に入射し対物レンズ４よりＤＶＤメディアＤｓに照
射される。
【００３３】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。上述の各部材の配置はこれ
に限定されるものではなく、可能な範囲でレーザ光の照射順序が入れ替えられているもの
であっても良い。
【００３４】
図３に本発明に係る光ヘッドの平面図を、図４に図３に示す光ヘッドの側面図を示す。
図３、図４に示すように光ヘッドＡはコリメータレンズ３を支持するためのベース１と、
対物レンズ４を保持するレンズホルダ５と、ベース１に取り付けられ、対物レンズ４を保
持するレンズホルダ５を弾性支持するためのアクトベース２とを有している。アクトベー
ス２には貫通孔２０が形成されており、コリメータレンズ３を出射したレーザ光が貫通孔
２０を通過して対物レンズ４に入射する。
【００３５】
アクトベース２は支持部材２１と、支持部材２１に固定される直線状に形成されたワイ
ヤーばね２２と、支持部材２１に取り付けられる基板２３と、レンズホルダ５が配置され
る空間に磁界を発生させるための一対の永久磁石２４（それに限定されるものではなく、
複数対の永久磁石であってもよく、１個の永久磁石であってもよい）とを有している。支
持部材２１は側面２１１に凸状のワイヤーばね２２を接着する接着部２１２と、接着部２
１２に隣接しワイヤーばね２２の振動を抑制するゲル状の制振部材２１３とを有している
。
【００３６】
ワイヤーばね２２はレンズホルダ５を弾性支持するだけでなく、基板２３から後述のワ
イヤー取付部５３に電力を供給するための電気配線としても用いられる。ワイヤーばね２
２は制振部材２１３に覆われ、支持部材２１の接着部２１２に接着剤２２１で接着固定さ
れる。そして、接着部２１２のさらに先端で基板２３とはんだ付けにて接続している。
【００３７】
基板２３は、図３、４に示すように、支持部材２１と係合するコの字状の本体部２３１
と、図示を省略した電力を供給するための配線が接続する配線接続部２３２と、ワイヤー
ばね２２が貫通するワイヤー貫通孔２３３とを有している。基板２３はここでは接着剤に
て支持部材２１に接着されているが、ボルトを用いて支持部２１に固定するものであって
も良い。
【００３８】
基板２３には表面にプリント配線が形成されている。ワイヤー貫通孔２３３の周囲には
ワイヤーばね２２と接続する第１ランド２３４、第２ランド２３５及び第３ランド２３６
が形成されており、第１ランド２３４、第２ランド２３５及び第３ランド２３６にはそれ
ぞれ配線接続部２３２より異なるプリント配線（図示省略）が接続している。第１ランド
２３４、第２ランド２３５及び第３ランド２３６はそれぞれ対で形成されており、一方に
は電力が供給され、他方は接地されている。第１ランド２３４、第２ランド２３５及び第
３ランド２３６にはそれぞれ異なるワイヤーばね２２が配置され、はんだ付けされている
。接地されている方の第１ランド２３４、第２ランド２３５及び第３ランド２３６は１つ
の部材で形成されていてもよい。
【００３９】
図５に図３に示す光ヘッドに用いられるレンズホルダの拡大平面図を、図６に図５に示
すレンズホルダの拡大側面図を示す。レンズホルダ５は中央に対物レンズ４を取り付ける
ための貫通孔５１と、側面５０１にはワイヤーばね２２の位置決めを行う位置決め部５２
と、位置決めされたワイヤーばね２２をはんだ付けするためのワイヤー取付部５３とを有
している。また、レンズホルダ５内部にはレンズホルダ５をフォーカス方向、すなわち、
図４中矢線ａｒ１で示す方向に動かすためのフォーカシングコイル５４と、レンズホルダ
５をトラッキング方向、すなわち、図３中矢線ａｒ２で示す方向に動かすためのトラッキ
ングコイル５５と、レンズホルダ５を揺動するチルト方向に動かすためのチルトコイル５
６とを有している。
【００４０】
位置決め部５２はワイヤーばね２２が貫通し位置決めを行うための貫通孔５２１が形成
されている。ワイヤー取付部５３は第１コイル取付部５３１と第２コイル取付部５３２と
第３コイル取付部５３３とに分割されている。ワイヤーばね２２は位置決め部５２の貫通
孔５２１を貫通した状態で貫通孔５２１に接着剤２２２を注入して固定される。第１コイ
ル取付部５３１はフォーカシングコイル５４と、第２コイル取付部５３２はトラッキング
コイル５５と第３コイル取付部５３３はチルトコイル５６と電気的に接続している。
【００４１】
第１コイル取付部５３１、第２コイル取付部５３２、第３コイル取付部５３３はレンズ
ホルダ５の側面５０１より突出する直方体形状を有しており、第１コイル取付部５３１、
第２コイル取付部５３２、第３コイル取付部５３３には、各コイル取付部５３１、５３２
、５３３に嵌合するとともに固定され、嵌着部材５４１、５５１、５６１が取り付けられ
る。嵌着部材５４１、５５１、５６１の材質は導電性を有するものを広く採用することが
できるが、ここではステンレスである。
【００４２】
フォーカシングコイル５４の配線の端部の第１コイル取付部５３１に接触する部分の被
覆を取り除き、第１コイル取付部５３１に接触させた状態で嵌着部材５４１を取り付ける
。このように間に配線の端部を挟み込んで、第１コイル取付部５３１と嵌着部材５４１と
を嵌着することで、嵌着部材５４１とフォーカシングコイル５４は電気的に接続される。
同様に嵌着部材５５１とトラッキングコイル５５、嵌着部材５６１とチルトコイル５６も
電気的に接続される。
【００４３】
ワイヤーばね２２を嵌着部材５４１、５５１、５６１にはんだ付けすることで、ワイヤ
ーばね２２とフォーカシングコイル５４、ワイヤーばね２２とトラッキングコイル５５、
ワイヤーばね２２とチルトコイル５６は電気的に接続される。
【００４４】
基板２３の配線接続部２３２から第１ランド２３４に電力を供給すると、ワイヤーばね
２２を介して第１コイル取付部５３１及び嵌着部材５４１に取り付けられたフォーカシン
グコイル５４に電流を流すことができる。第２ランド２３５に電力を供給することで第２
コイル取付部５３２及び嵌着部材５５１に取り付けられたトラッキングコイル５５に電流
を流すことができる。第３ランド２３６に電力をキュウキュウすることで第３コイル取付
部５３３及び嵌着部材５６１に取り付けられたチルトコイル５６に電流を流すことができ
る。
【００４５】
フォーカシングコイル５４、トラッキングコイル５５及びチルトコイル５６は一対の永
久磁石２４によって発される磁界の内部に配置される。この磁界内に配置されたコイルに
電流が流れることで、フォーカシングコイル５４、トラッキングコイル５５及チルトコイ
ル５６のうち電流が流されたコイルにローレンツ力が付与する。このローレンツ力によっ
てレンズホルダ５をフォーカス方向及び（又は）トラッキング方向及び（又は）チルト方
向に移動させることができる。ワイヤーばね２２は制振部材２１３を貫通しているので、
レンズホルダ５に付与している力が除かれても、レンズホルダ５の振動を短時間で集束す
ることができる。
【００４６】
図７（Ａ）〜（Ｃ）にコイル取付部の取り付け方法の図を示す。上記実施例において、
第１コイル取付部５３１と嵌着部材５４１の間にフォーカシングコイル５４の配線の端部
５４２を被覆を取り除いた状態で挿入し、嵌着部材５４１にワイヤーばね２２をはんだ５
４３付けにて接続するものを例示している（図７（Ａ）参照）、それに限定されるもので
はなく、予め嵌着部材５４１を第１コイル取付部５３１に取り付け、フォーカシングコイ
ル５４の端部５４２を被覆を取り除いてはんだ付けできる程度（たとえば一重、二重程度
）巻きつけて、はんだ５４３付けしても良い（図７（Ｂ）参照）。また、嵌着部材５４１
にフォーカシングコイル５４の配線の端部５４２を接触させた状態ではんだ５４３付けし
、余った配線を切断しても良い（図７（Ｃ）参照）。
【００４７】
上記のコイルの取り付け方法は、第２コイル取付部５３２に嵌着部材５５１を嵌着させ
トラッキングコイル５５を取り付ける場合、第３コイル取付部５３３に嵌着部材５６１を
嵌着させチルトコイル５６を取り付ける場合にも採用することができる。
【００４８】
上記実施例では光ディスク装置としてＤＶＤプレーヤを例に説明しているが、それに限
定されるものではなく、光ディスクにレーザ光を照射して情報を読み出したり、記録可能
な光ディスクに情報を記録したりする光ディスク装置を挙げることができる。第１コイル
取付部５３１、第２コイル取付部５３２、だい３コイル取付部５３３は直方体であるもの
を例示しているがそれに限定されるものではなく、配線を容易に処理できる形状を広く採
用することができる。また、嵌着部材５４１、５５１、５６１は矩形状の筒状部材を例示
しているがそれに限定されるものではなく、第１コイル取付部５３１、第２コイル取付部
５３２、だい３コイル取付部５３３に外嵌できる形状の筒状部を有し、ワイヤーばね２２
とはんだ付けすることができる形状のものを広く採用することができる。
【産業上の利用可能性】
【００４９】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００５０】
【図１】本発明にかかる光ディスク装置の配置図である。
【図２】光ヘッドの一例の配置図である。
【図３】本発明に係る光ヘッドの平面図である。
【図４】図３に示す光ヘッドの側面図である。
【図５】図３に示す光ヘッドに用いられるレンズホルダの拡大平面図である。
【図６】図５に示すレンズホルダの拡大側面図である。
【図７】図（Ａ）〜（Ｃ）はコイル取付部の取り付け方法の図である。
【図８】従来の光ヘッドの一例の平面図である。
【図９】従来の光ヘッドの一例の側面図である。
【図１０】従来のレンズホルダのコイル取付部の拡大図である。
【符号の説明】
【００５１】
Ｄｓ  光ディスク
Ｍｒ  ミラー
Ｂｓ  ビームスプリッタ
Ｌｄ  レーザ光源
Ｐｄ  受光部
１  ベース
２  アクトベース
２１  支持部材
２１２  接着部
２１３  制振部材
２２  ワイヤーばね
２３  基板
２４  永久磁石
３  コリメータレンズ
４  対物レンズ
５  レンズホルダ
５１  貫通孔
５２  位置決め部材
５３  ワイヤー取付部
５３１  第１コイル取付部
５３２  第２コイル取付部
５３３  第３コイル取付部
５４  フォーカシングコイル
５４１  嵌着部材
５５  トラッキングコイル
５５１  嵌着部材
５６  チルトコイル
５６１  嵌着部材
【図１】
2006134438.tif 000003
【図２】
2006134438.tif 000004
【図３】
2006134438.tif 000005
【図４】
2006134438.tif 000006
【図５】
2006134438.tif 000007
【図６】
2006134438.tif 000008
【図７】
2006134438.tif 000009
【図８】
2006134438.tif 000010
【図９】
2006134438.tif 000011
【図１０】
2006134438.tif 000012